(57)【要約】【課題】支柱が正面パネルと側面パネルの室内側に設けられ、かつ、正面パネルと側面パネルの各端面が外側から見えないように、手摺りのコーナーを直角に縁取ることができる手摺り用支柱を提供する。【解決手段】本考案による手摺り用支柱は、ベランダのコーナーに立設され、正面パネルと正面パネル用レールならびに側面パネルと側面パネル用レールが、互いに直角となるように取り付けられる支柱部材と、前記支柱部材の上から角が重なるように挿入され、前記正面パネルと正面パネル用レールの端面ならびに前記側面パネルと側面パネル用レールの端面に相対して、手摺りのコーナーを直角に縁取るようにした支柱補助部材と、からなる。【選択図】図１
0003142993.tif 000002
【実用新案登録請求の範囲】
【請求項１】
ベランダのコーナーに立設され、正面パネルと正面パネル用レールならびに側面パネルと側面パネル用レールが、互いに直角となるように取り付けられる支柱部材と、
前記支柱部材の上から角が重なるように挿入され、前記正面パネルと正面パネル用レールの端面ならびに前記側面パネルと側面パネル用レールの端面に相対して、手摺りのコーナーを直角に縁取るようにした支柱補助部材と、からなることを特徴とする手摺り用支柱。
【請求項２】
前記支柱部材には、正面に上下に延びる第１凹部が、側面に上下に延びる第２凹部が設けられるとともに、
前記支柱補助部材には、一側面に前記第１凹部に嵌め込まれる上下に延びる第１鉤形部が、他側面に前記第２凹部に嵌め込まれる上下に延びる第２鉤形部が設けられることを特徴とする請求項１に記載の手摺り用支柱。
【請求項３】
前記支柱部材は、ベランダのコーナー垂直面に取り付けるため、角に上下方向に延びる切欠き凹部が設けられることを特徴とする請求項１に記載の手摺り用支柱。
【考案の詳細な説明】
【技術分野】
【０００１】
本考案は、ベランダに設置される手摺りに係り、より詳細には、正面および側面に設けられるパネルの端面あるいは正面および側面に設けられるレールの端面が外から見えないように隠して、外観を向上させることができる手摺り用支柱に関する。
【背景技術】
【０００２】
一般に、住宅のベランダに設けられる手摺りには、通風性と採光性に優れる縦格子、目隠し効果があり通風性にも優れるガラリ、採光性と目隠し効果に優れるすりガラスなどがある。これらを所定の形状に枠取りしたパネルと、パネルが嵌め込まれるレールからなる手摺りが提案されている。（特許文献１参照）
【０００３】
パネルが支柱に固定される手摺りは、強風などの大きな力を受ける場合もあるので、支柱は太くて堅固なものとされる。支柱は、外から見えないようにするのが望ましく、支柱はパネルの内側に取り付けられる。中高層の集合住宅のように手摺りの両側に簡単な仕切り壁があり、手摺りがベランダの正面側に設置される場合は、パネルの両側端が端面カバーで覆われるので、両側端の窪みなどが外側からは直接見えないようにできる。しかし、マンションなどの左右端の部屋では、部屋の仕切り壁がないので、ベランダには、正面側パネルと側面パネルからなる手摺りが必要となる。この場合、手摺りのコーナーでは、正面パネルまたは側面パネルの端面が外側から見えることとなるので、手摺りのコーナーの外観を向上させることが望まれている。
【特許文献１】特開６−２４８８５４号公報
【考案の開示】
【考案が解決しようとする課題】
【０００４】
本考案の目的は、支柱が正面パネルと側面パネルの室内側に設けられ、かつ、正面パネルと側面パネルの各端面が外側から見えないように、手摺りのコーナーを直角に縁取ることができる手摺り用支柱を提供することにある。
【課題を解決するための手段】
【０００５】
上記の目的を達成するため、本考案による請求項１に記載の手摺り用支柱は、ベランダのコーナーに立設され、正面パネルと正面パネル用レールならびに側面パネルと側面パネル用レールが、互いに直角となるように取り付けられる支柱部材と、前記支柱部材の上から角が重なるように挿入され、前記正面パネルと正面パネル用レールの端面ならびに前記側面パネルと側面パネル用レールの端面に相対して、手摺りのコーナーを直角に縁取るようにした支柱補助部材と、からなることを特徴とする。
【０００６】
本考案による請求項２は、前記支柱部材には、正面に上下に延びる第１凹部が、側面に上下に延びる第２凹部が設けられるとともに、前記支柱補助部材には、一側面に前記第１凹部に嵌め込まれる上下に延びる第１鉤形部が、他側面に前記第２凹部に嵌め込まれる上下に延びる第２鉤形部が設けられることを特徴とする。
【０００７】
本考案による請求項３は、前記支柱部材は、ベランダのコーナー垂直面に取り付けるため、角に上下方向に延びる切欠き凹部が設けられることを特徴とする。
【考案の効果】
【０００８】
本考案による手摺り用支柱によれば、支柱部材に支柱補助部材を取り付けたので、正面パネルと側面パネルの各端面が、外側から見えないようにできる。合わせて正面パネルまたは側面パネルが搭載されるレールの端面も外側から見えないようにできる。支柱部材は、ベランダの上面のコーナーに１本立設すればよく、例えば、手摺りの中間を支える中間支柱をコーナーに２本立設するのに比較して、設置工数が少なくできる。支柱補助部材は、支柱部材に挿入して嵌め込むので、簡単に取り付けることができる。
【０００９】
請求項２の考案によれば、支柱部材には、正面の上下に延びる第１凹部と、側面の上下に延びる第２凹部が形成され、支柱補助部材には、第１凹部に嵌め込まれる上下に延びる第１鉤形部と、第２凹部に嵌め込まれる上下に延びる第２第１鉤形部が形成されるので、正面方向にも、側面方向にも支柱補助部材が抜け出ないようにできる。
【００１０】
請求項３の考案によれば、支柱部材には、切欠き凹部が設けられるので、支柱部材をベランダのコーナーの垂直面に容易に取り付けることができる。
【考案を実施するための最良の形態】
【００１１】
以下、図面を参照して、本考案による手摺り用支柱を説明する。
【実施例１】
【００１２】
図１は、本考案による手摺り用支柱の支柱部材と支柱補助部材の平面図である。手摺り用支柱１０は、支柱部材１と、これに上から挿入され嵌め込まれる支柱補助部材２からなる。図１（Ａ）は支柱部材１の平面図である。支柱部材１は、中空の角筒形で、正面パネルが取り付けられる面には上下に延びる第１凹部３が形成されている。また、側面パネルが取り付けられる面には上下に延びる第２凹部４が形成されている。
【００１３】
図１（Ｂ）は支柱補助部材２の平面図である。支柱補助部材２は、中空の角筒形で、一側面には、第１凹部３に嵌め込まれる上下に延びる第１鉤形部が形成されている。他側面には、第２凹部４に嵌め込まれる上下に延びる第２鉤形部が形成されている。図１（Ａ）の第１凹部３と第２凹部４には、反対向きのもう１つの凹部が形成されている。これは正面パネルまたは側面パネルを嵌め込むための凹部である。第１鉤形部と第２鉤形部が嵌め込まれる第１凹部３と第２凹部４のみの構成としてもよい。
【００１４】
図２は、本考案による手摺り用支柱の平面図で、手摺りのコーナー部分を含む。支柱部材１に支柱補助部材２が取り付けられ、周囲の正面パネルと側面パネルは一点鎖線で示す。図２に示すように、手摺り用支柱１０は、支柱部材１に支柱補助部材２が嵌め込まれたものである。第１鉤形部と第２鉤形部が、第１凹部３と第２凹部４に嵌め込まれるので、左右前後方向に支柱補助部材２が動くことはない。ここでは、支柱部材１は、コンクリートのベランダ２０上面のコーナーに立設されている。
【００１５】
図２の一点鎖線で示すように、正面パネル１１と側面パネル１２が、正面パネル用レール１７と側面パネル用レール１８に搭載される。正面パネル用レール１７と側面パネル用レール１８は支柱部材１の側面にボルト等で固定される。正面パネル１１と側面パネル１２の端面には、この実施例では端面カバー１３ａ、１３ｂが設けられる。端面カバー１３ａ、１３ｂの一端が、第１凹部３と第２凹部４に嵌め込まれる。端面カバー１３ａ、１３ｂが、パネルによっては設けられない場合もある。支柱部材１と他の支柱との間には、フットカバー１６ａ、１６ｂが設けられる。支柱部材１、支柱補助部材２、正面パネル１１、側面パネル１２の上部には、キャップ１４ａ、１４ｂ、１４ｃが被せられる。キャップ１４ａ、１４ｂ、１４ｃは嵌め込み式でキャップ受け１５ａ、１５ｂ、支柱部材１などに固定される。
【００１６】
図３は、本考案による正面パネルと側面パネルを含む手摺りのコーナー部分の斜視図である。正面パネル１１と側面パネル１２は、ここでは縦格子のパネルとした。パネルをガラリやすりガラスとしてもよい。支柱部材１は、支柱補助部材２が嵌め込まれてベランダ２０のコーナーに立設される。支柱部材１の下部には正面パネル用レール１７、側面パネル用レール１８が取り付けられる。また、フットカバー１６ａ、１６ｂが取り付けられる。支柱部材１、支柱補助部材２、正面パネル１１、側面パネル１２の上部には、キャップ１４ａ、１４ｂ、１４ｃが被せられる。なお、キャップをキャップ１４ａ、１４ｂの２つで構成し、支柱部材１の上部の対角線上で係合するような形状としてもよい。
【００１７】
引出円Ｃ１に示すように、キャップ１４ａは、支柱部材１と正面パネル１１の上部に嵌め込まれる。引出円Ｃ２は、矢印Ａ方向から見た、支柱補助部材２と側面パネル１２を取り外した状態の正面図である。引出円Ｃ２に示すように、支柱部材１の底部は、アンカーボルトでベランダ２０に固定される。また、正面パネル用レール１７は、支柱部材１にボルト等で固定される。正面パネル用レール１７の溝に正面パネル１１が嵌め込まれる。
【００１８】
引出円Ｃ２に示す正面パネル１１の端面、正面パネル用レール１７の端面は、支柱補助部材２によって外から見えない。また、側面パネル１２の端面、側面パネル用レール１８の端面も、支柱補助部材２によって外から見えない。隙間に挟まれたりしないので安全性も向上する。
【実施例２】
【００１９】
図４は、本考案による手摺り用支柱の支柱部材と支柱補助部材の平面図である。（Ａ）は支柱部材、（Ｂ）は支柱補助部材の平面図である。実施例１との違いは、支柱部材１の角に切欠き凹部７が設けられていることである。これにより、支柱部材１をベランダ２０のコーナーの垂直面に取り付けることができる。切欠き凹部７は、支柱部材１の上下方向に延設される。なお、切欠き凹部７は、支柱部材１の下部のベランダ２０に取り付けられる部分にのみ設けて、支柱部材１の上部は矩形状としてもよい。
【００２０】
図５は、本考案による手摺り用支柱の平面図である。実施例２では、手摺り用支柱１０が、ベランダ２０のコーナーの垂直面にＬ金具を使用しボルト等で取り付けられる。これにより正面パネル１１、側面パネル１２をベランダ２０の外側に突き出すように設置できる。支柱補助部材２の第１鉤形部５と第２鉤形部６が、支柱部材１の第１凹部３と第２凹部４に嵌め込まれるので、支柱補助部材２は前後左右方向に動くことはない。なお、図示していないが、支柱補助部材２を支柱部材１に嵌め込んだ時、支柱補助部材２は支柱部材１の底部のストッパで係止されるようになっている。実施例２のキャップ１４ａ、１４ｂは、支柱部材１の上部の対角線上で係合するような形状とした。正面パネル用レール１７、側面パネル用レール１８は、実施例１と同じである。手摺り用支柱１０は、ベランダ２０のコーナーに１本立設すればよく、手摺りの中間を支える中間支柱をコーナーに２本立設するのに比較して、設置工数が少ない。また、支柱補助部材２の幅は、レールの幅程度で済み、支柱部材１の幅を加える必要がないので、外観をスリムにできる。
【産業上の利用可能性】
【００２１】
本考案による手摺り用支柱は、正面パネルと側面パネルが設けられるベランダのコーナーに好適である。
【図面の簡単な説明】
【００２２】
【図１】本考案による手摺り用支柱の支柱部材と支柱補助部材の平面図である。（Ａ）は支柱部材、（Ｂ）は支柱補助部材の平面図である。（実施例１）
【図２】本考案による手摺り用支柱の平面図である。手摺り用支柱は、支柱部材１に支柱補助部材２が取り付けられ、ベランダ上面のコーナーに設置される場合を示す。正面パネルと側面パネルは一点鎖線で示す。（実施例１）
【図３】本考案による正面パネルと側面パネルを含む手摺りのコーナー部分の斜視図である。（実施例１）
【図４】本考案による手摺り用支柱の支柱部材と支柱補助部材の平面図である。（Ａ）は支柱部材、（Ｂ）は支柱補助部材の平面図である。（実施例２）
【図５】本考案による手摺り用支柱の平面図である。手摺り用支柱は、ベランダコーナーの垂直面に取り付けられる場合を示す。（実施例２）
【符号の説明】
【００２３】
１    支柱部材
２    支柱補助部材
３    第１凹部
４    第２凹部
５    第１鉤形部
６    第２鉤形部
７    切欠き凹部
１０    手摺り用支柱
１１    正面パネル
１２    側面パネル
１３ａ、１３ｂ    端面カバー
１４ａ、１４ｂ、１４ｃ    キャップ
１５ａ、１５ｂ    キャップ受け
１６ａ、１６ｂ    フットカバー
１７    正面パネル用レール
１８    側面パネル用レール
２０    ベランダ
【図１】
0003142993.tif 000003
【図２】
0003142993.tif 000004
【図３】
0003142993.tif 000005
【図４】
0003142993.tif 000006
【図５】
0003142993.tif 000007